(57)【要約】【課題】  使用環境に適合した態様で使用が可能なフラットディスプレイ装置を提供する。【解決手段】  表示面に電磁波遮断機能を有する光学フィルタ１３が貼り付けられたフラットディスプレイパネル１１と、駆動回路基板１４と、開口部１５Ｂからフラットディスプレイパネル１１の表示面を外方に露出させた状態でフラットディスプレイ１１および駆動回路基板１４を収容するサイド・フレーム１５およびリア・フレーム１６と、サイド・フレーム１５の前面側に着脱自在に装着されて開口部１５Ｂの外側を覆う透明な保護板１９とを備えている。【選択図】      図２
2006343591.tif 000002
【特許請求の範囲】
【請求項１】
表示面に電磁波遮断機能を有するフィルタ部材が貼り付けられたフラットディスプレイパネルと、
このフラットディスプレイパネルの駆動回路基板と、
前面側に第１開口部を有し、この第１開口部から前記フラットディスプレイパネルの表示面を外方に露出させた状態でフラットディスプレイおよび駆動回路基板を収容する第１ケース部材と、
この第１ケース部材の前面側に着脱自在に装着されて第１ケース部材の第１開口部の外側を覆う透明な保護板と、
を備えていることを特徴とするフラットディスプレイ装置。
【請求項２】
前記第１ケース部材の第１開口部に対向される第２開口部を有していて第１ケース部材に対して着脱自在に装着される第２ケース部材をさらに備え、保護板が、第２ケース部材の前面側に第２開口部を覆うように取り付けられている請求項１に記載のフラットディスプレイ装置。
【請求項３】
前記第１ケース部材が、フラットディスプレイおよび駆動回路基板を収容する金属製のサイド・ケースと、このサイド・ケースの後部に取り付けられてサイド・ケースの後部に形成された開口部を覆う金属製のリア・ケースとを有している請求項１に記載のフラットディスプレイ装置。
【請求項４】
前記駆動回路基板が、フィルタ部材とサイド・ケース，リア・ケースによって遮蔽された空間内に収容されている請求項３に記載のフラットディスプレイ装置。
【請求項５】
前記第２ケース部材が、第１ケース部材の側壁部に外嵌される側壁部を有し、この第１ケース部材の側壁部が第１ケース部材の側壁部に外嵌されている状態で連結部材によって互いに連結されることにより、保護板が第１ケース部材に固定される請求項２に記載のフラットディスプレイ装置。
【請求項６】
前記第２ケース部材が、第２開口部の周囲を囲む部分に形成されたフランジ部を有し、このフランジ部と保護板との間に固定部材が設けられることによって保護板が第２ケース部材に固定される請求項２に記載のフラットディスプレイ装置。
【請求項７】
前記保護板の第２ケース部材のフランジ部と対向する周縁部分に、黒色または暗色の枠部分が設けられている請求項６に記載のフラットディスプレイ装置。
【請求項８】
前記保護板の少なくとも一方の面に、外光反射防止層が形成されている請求項１に記載のフラットディスプレイ装置。
【請求項９】
前記フィルタ部材が、赤外線吸収機能または色調補正機能，外光反射防止機能をさらに備えている請求項１に記載のフラットディスプレイ装置。
【発明の詳細な説明】
【技術分野】
【０００１】
この発明は、フラットディスプレイ装置の構成に関する。
【背景技術】
【０００２】
フラットディスプレイ装置は、プラズマディスプレイパネル（ＰＤＰ）やフィールドエミッションディスプレイパネル（ＦＥＤ）などの薄型平面ディスプレイパネルを備えている。
【０００３】
例えば、ＰＤＰは、一対の前面基板と背面基板が互いに平行に対向するように配置されて、その間の放電空間の周囲が封止された構造になっている。
【０００４】
そして、反射型の交流型ＰＤＰは、前面基板の内面に面放電（表示放電）を行う複数の行電極対とこの行電極対を被覆する誘電体層が形成され、背面基板の前面基板に対向する内面側に、行電極対と直交する方向に配列されて行電極対の一方の行電極との間で選択放電を行う列電極とこの列電極を被覆する列電極保護層とが形成されており、この前面基板と背面基板の間に、放電空間を放電セル毎に区画する隔壁が形成されて、各放電セル内に、それぞれ赤，緑，青の三原色に色分けされた蛍光体層が順に並ぶように形成された構成を備えている。
【０００５】
図１は、上記のようなＰＤＰ等のフラットディスプレイパネルを備えた従来のフラットディスプレイ装置を示す側断面図である。
【０００６】
この従来のディスプレイ装置は、リア・ケース１上に取り付けられているシャーシ２の前面側（図において上側）に、フラットディスプレイパネル３が粘着シート４によって固定されている。
【０００７】
このフラットディスプレイパネル３の前面には、光学フィルタ５が直貼りによって貼り付けられている。
【０００８】
そして、このシャーシ２およびフラットディスプレイパネル３，粘着シート４，光学フィルタ５は、リア・ケース１とともにフラットディスプレイ装置のケーシングを構成するフロント・ケース６内に収容されている。
【０００９】
リア・ケース１内には、シャーシ２の後方（図１において下側）に配置された駆動回路基板７が収容されている（例えば、特許文献１参照）。
【００１０】
上記のような光学フィルタ５がフラットディスプレイパネル３の前面に直貼りによって貼り付けられている構成のフラットディスプレイ装置は、フラットディスプレイ装置の軽量化やフラットディスプレイパネル３のコントラストの向上等を図ることが出来る等の利点を有しているが、例えば業務用に使用されるフラットディスプレイ装置等は、その設置場所等の使用環境によって、フラットディスプレイパネル３の表示面における外部からの衝撃に対する強度などの点で、問題が発生する場合がある。
【００１１】
また、上記のような構成のフラットディスプレイ装置は、高地等の気圧が低い場所で使用される場合に、駆動時に装置内部で発生する振動音の遮蔽効果に問題が生じる虞がある。
【００１２】
【特許文献１】特開２００４−２０６０７６号公報
【発明の開示】
【発明が解決しようとする課題】
【００１３】
この発明は、上記のような従来のフラットディスプレイ装置が有している問題点を解決することをその解決課題の一つとしている。
【課題を解決するための手段】
【００１４】
この発明（請求項１に記載の発明）によるフラットディスプレイ装置は、上記課題を達成するために、表示面に電磁波遮断機能を有するフィルタ部材が貼り付けられたフラットディスプレイパネルと、このフラットディスプレイパネルの駆動回路基板と、前面側に第１開口部を有し、この第１開口部から前記フラットディスプレイパネルの表示面を外方に露出させた状態でフラットディスプレイおよび駆動回路基板を収容する第１ケース部材と、この第１ケース部材の前面側に着脱自在に装着されて第１ケース部材の第１開口部の外側を覆う透明な保護板とを備えていることを特徴としている。
【発明を実施するための最良の形態】
【００１５】
この発明は、表示面に電磁波遮断機能を有するフィルタ部材が貼り付けられたＰＤＰ等のフラットディスプレイパネルと、駆動回路基板と、このフラットディスプレイパネルおよび駆動回路基板を収容する第１ケース部材とを備え、フラットディスプレイパネルの表示面が第１ケース部材の前面側に設けられた第１開口部から露出されており、この第１ケース部材の前面側に保護板が着脱自在に装着されて第１開口部の外側を覆うようになっているフラットディスプレイ装置を、その最良の実施形態としている。
【００１６】
この実施形態におけるフラットディスプレイ装置は、駆動回路基板が、電磁波遮断機能を有する光学フィルタが貼り付けられたフラットディスプレイパネルと第１ケース部材によって囲まれた空間内に収容されて、保護板が第１ケース部材から取り外されている状態での使用が可能である。
【００１７】
そして、このフラットディスプレイ装置は、使用環境に応じて、保護板が第１ケース部材に取り付けられて、第１開口部から露出されているフラットディスプレイパネルの光学フィルタが貼り付けられている表示面がカバーされることによって、フラットディスプレイパネルに外部からの衝撃等によって割れなどの損傷が発生するのが防止される。
【００１８】
さらに、この保護板が取り付けられることによって、フラットディスプレイ装置が高地等の気圧が低い場所において使用される場合等に、フラットディスプレイパネルから発生する異音が外部に漏れるのが防止される。
【００１９】
上記フラットディスプレイ装置は、保護板が、第１ケース部材に対して着脱自在に装着される第２ケース部材にその第２開口部を覆うように取り付けられる場合には、第２ケース部材を着脱することにより、保護板を第１ケース部材に対して着脱することが可能になる。
【００２０】
さらに、上記フラットディスプレイ装置は、第１ケース部材が、フラットディスプレイおよび駆動回路基板を収容する金属製のサイド・ケースと、このサイド・ケースの後部に取り付けられてサイド・ケースの後部に形成された開口部を覆う金属製のリア・ケースとを有している場合には、第１ケースのみによって感電等の安全規格に対するエンクロージャとしての機能が果たされ、また、駆動回路基板が、フィルタ部材とサイド・ケース，リア・ケースによって遮蔽された空間内に収容される場合には、第１ケースのみによって、電磁波などに対するエンクロージャとしての機能が果たされて、それぞれ、保護板が取り外された状態で使用することが出来る。
【００２１】
さらに、上記フラットディスプレイ装置は、第２ケース部材の側壁部が第１ケース部材の側壁部に外嵌自在になっていて連結部材によって互いに連結される場合には、保護板が、容易に第１ケース部材に固定されるようになる。
【００２２】
さらに、上記フラットディスプレイ装置は、第２ケース部材の第２開口部の周囲を囲むように形成されたフランジ部に固定部材によって保護板が固定される場合には、第２ケース部材に対する保護板の支持が確実に行われるようになる。
【００２３】
さらに、上記フラットディスプレイ装置は、保護板の第２ケース部材のフランジ部と対向する周縁部分に黒色または暗色の枠部分が設けられる場合には、この部分において、保護板と第２ケース部材のフランジ部とを粘着テープ等によって固定することが出来るようになる。
【００２４】
さらに、上記フラットディスプレイ装置は、保護板の少なくとも一方の面に外光反射防止層が形成される場合には、この光反射防止層によって、フラットディスプレイパネルの表示面に形成される画像の画質が、外光反射によって劣化するのが防止される。
【００２５】
さらに、上記フラットディスプレイ装置は、フラットディスプレイパネルに貼り付けられるフィルタ部材が、赤外線吸収機能または色調補正機能，外光反射防止機能を備えている場合には、それぞれの機能によってフラットディスプレイパネルの表示面に形成される画像の画質が向上される。
【実施例】
【００２６】
図２は、この発明によるフラットディスプレイ装置の実施形態における一実施例を示す側断面図である。
【００２７】
この図２において、フラットディスプレイ装置は、シャーシ１０上にフラットディスプレイパネル１１が、粘着シート１２によって固定されることにより支持されている。
【００２８】
そして、このフラットディスプレイパネル１１の表示面（図２において上側の面）上に、赤外線カットおよび電磁波シールド，色調補正，外光反射防止の各機能を有する光学フィルタ１３が、直貼りによって貼り付けられている。
【００２９】
シャーシ１０の背面側（図２において下方側）には、駆動回路基板１４が配置されており、この駆動回路基板１４とシャーシ１０，フラットディスプレイパネル１１，光学フィルタ１３が、フラットディスプレイ装置のケーシングを構成する金属製のサイド・ケース１５内に収容されている。
【００３０】
このサイド・ケース１５の前端側（図２において上端側）には、その内縁部に内フランジ１５Ａが形成されていて、この内フランジ１５Ａの内側に形成された開口部１５Ｂから、フラットディスプレイパネル１１の表示面およびこの表示面に貼り付けられた光学フィルタ１３が露出されている。
【００３１】
サイド・ケース１５の後端側（図２において下側の端部）には、金属製のリア・ケース１６が取り付けられて、このリア・ケース１６によってサイド・ケース１５の後側開口部がカバーされている。
【００３２】
このサイド・ケース１５の前端部の側壁面には、フロント・ケース１７が、その側壁面が着脱自在に外嵌されて取り付けられるようになっており、このフロント・ケース１７が図示のようにサイド・ケース１５の前端部に外嵌されている状態で、側壁面に螺合されるねじ１８によって、サイド・ケース１５およびシャーシ１０に固定されるようになっている。
【００３３】
このフロント・ケース１７の前端側（図２において上端側）には、その内縁部に内フランジ１７Ａが形成されていて、この内フランジ１７Ａの内側に形成された開口部１７Ｂがサイド・ケース１５の開口部１５Ｂに対向されて、このフロント・ケース１７の開口部１７Ｂおよびサイド・ケース１５の開口部１５Ｂから、フラットディスプレイパネル１１の表示面およびこの表示面に貼り付けられた光学フィルタ１３が露出されている。
【００３４】
このフロント・ケース１７の前面側には、保護板１９が、以下のような態様で取り付けられている。
【００３５】
すなわち、保護板１９は、透明な材質によって形成されており、その背面の周縁部に、印刷などによって黒く塗りつぶされた黒枠部１９Ａが形成されている。
【００３６】
この黒枠部１９Ａの位置および幅は、後述するように、保護板１９がフロント・ケース１７の内フランジ１７Ａ上に固定された際に、この内フランジ１７Ａに対向されるように設定されている。
【００３７】
保護板１９の両面または一方の面に、外光反射防止フィルム２０が貼り付けられている（図示の例では保護板１９の上面に貼り付けられている）。
【００３８】
そして、この保護板１９は、粘着テープ２１によって、その背面の黒枠部１９Ａが形成されている部分が内フランジ１７Ａ上に貼り付けられることによって、フロント・ケース１７の前面側に固定されて、フロント・ケース１７の開口部１７Ｂおよびサイド・ケース１５の開口部１５Ｂをカバーしている。
【００３９】
上記フラットディスプレイ装置は、フロント・ケース１７および保護板１９がサイド・ケース１５から取り外されている状態で、駆動回路基板１４が、電磁波遮断機能を有する光学フィルタ１３が直貼りされたフラットディスプレイパネル１１とサイド・ケース１５，リア・ケース１６で囲まれた空間内に収容されており、この光学フィルタ１３とサイド・ケース１５，リア・ケース１６によって、感電等の安全規格や電磁波などに対するエンクロージャとしての機能が果たされていることによって、フロント・ケース１７が取り外された状態で、使用が可能である。
【００４０】
そして、このフラットディスプレイ装置は、例えば業務用などで街頭に設置されるような場合等には、保護板１９が固定されたフロント・ケース１７がサイド・ケース１５に外嵌されてねじ１８によって固定された状態で使用される。
【００４１】
これによって、サイド・ケース１５の開口部１５Ｂが、フロント・ケース１７に固定されている保護板１９によってカバーされて、光学フィルタ１３が貼り付けられているフラットディスプレイパネル１１の表示面が保護されて、外部からの衝撃等によって割れなどの損傷が発生するのが防止される。
【００４２】
そして、このフロント・ケース１７が取り付けられている場合には、保護板１９に貼り付けられた外光反射防止フィルム２０によって、フラットディスプレイパネル１１の表示面に形成される画像の画質が、外光反射によって劣化するのが防止されるようになる。
【００４３】
さらに、このフラットディスプレイ装置が高地等の気圧が低い場所において使用される場合、フロント・ケース１７が取り付けられることによって、フラットディスプレイパネル１１から発生する異音（例えばフラットディスプレイパネル１１がＰＤＰの場合に、外気圧の低下によってパネルが膨らむことによって発生する振動音）を保護板１９によって遮断して外部に漏れるのを防止することが出来るようになる。
【００４４】
上記実施例におけるフラットディスプレイ装置は、表示面に電磁波遮断機能を有するフィルタ部材が貼り付けられたフラットディスプレイパネルと、駆動回路基板と、このフラットディスプレイパネルおよび駆動回路基板を収容する第１ケース部材と、フラットディスプレイパネルの表示面が露出された第１ケース部材の第１開口部の前面側に着脱自在に装着される保護板を備えたフラットディスプレイ装置の下位概念を構成する。
【００４５】
そして、上記上位概念を構成するフラットディスプレイ装置は、第１ケースのみによって感電等の安全規格や電磁波などに対するエンクロージャとしての機能が果たされることによって、保護板が取り外された状態で使用が可能であるとともに、使用環境によって第１ケース部材に保護板が取り付けられることによって、光学フィルタが貼り付けられているフラットディスプレイパネルの表示面がカバーされて、フラットディスプレイパネルに外部からの衝撃等によって割れなどの損傷が発生するのが防止され、また、気圧が低い場所において使用される場合等に、フラットディスプレイパネルから発生する異音が外部に漏れるのが防止される。
【図面の簡単な説明】
【００４６】
【図１】従来のフラットディスプレイ装置の構成を示す側断面図である。
【図２】この発明の実施形態における一実施例を示す側断面図である。
【符号の説明】
【００４７】
１０      …シャーシ
１１      …フラットディスプレイパネル
１３      …光学フィルタ（フィルタ部材）
１４      …駆動回路基板
１５      …サイド・フレーム（第１ケース部材）
１５Ａ    …内フランジ
１５Ｂ    …開口部（第１開口部）
１６      …リア・ケース（第１ケース部材）
１７      …フロント・ケース（第２ケース部材）
１７Ａ    …内フランジ（フランジ部）
１７Ｂ    …開口部（第２開口部）
１８      …ねじ（連結部材）
１９      …保護板
１９Ａ    …黒枠部（枠部分）
２０      …外光反射防止フィルム（外光反射防止層）
２１      …粘着テープ（固定部材）
【図１】
2006343591.tif 000003
【図２】
2006343591.tif 000004